(57)【要約】【課題】車両衝突時、フロントサブフレームから車体側へ衝突荷重が伝達されることを抑制すること。【解決手段】車両前後方向に延びる左右一対の縦メンバ１６、１６と、左右一対の縦メンバ１６、１６の間で車幅方向に延びるクロスメンバ１８と、各縦メンバ１６に設けられ、スタビライザ２４が取り付けられるスタビ取付部２６と、車両衝突時に、各縦メンバ１６の下方へ向けた折れ変形を促進する変形促進部３０とを備え、この変形促進部３０は、クロスメンバ１８とスタビ取付部２６との間に設けられている。【選択図】図２
2020050213.tif 000002
【特許請求の範囲】
【請求項１】
車両前後方向に延びる左右一対の縦メンバと、前記左右一対の縦メンバの間で車幅方向に延びるクロスメンバとを有するフロントサブフレーム構造であって、
前記各縦メンバに設けられ、スタビライザが取り付けられるスタビ取付部と、
車両衝突時に、前記各縦メンバの下方へ向けた折れ変形を促進する変形促進部と、
を備え、
前記変形促進部は、前記クロスメンバと前記スタビ取付部との間に設けられていることを特徴とするフロントサブフレーム構造。
【請求項２】
請求項１記載のフロントサブフレーム構造において、
前記変形促進部は、前記各縦メンバに設けられた段差部であることを特徴とするフロントサブフレーム構造。
【請求項３】
請求項１又は請求項２記載のフロントサブフレーム構造において、
前記スタビ取付部は、前記各縦メンバから上方に向かって突出して前記スタビライザを保持するスタビホルダを有することを特徴とするフロントサブフレーム構造。
【請求項４】
請求項１乃至請求項３のいずれか１項記載のフロントサブフレーム構造において、
前記クロスメンバは、ステアリングギヤボックスが取り付けられるギヤボックス取付部を備え、
前記スタビ取付部は、前記ギヤボックス取付部に対して車幅方向にオフセットした位置に配置されていることを特徴とするフロントサブフレーム構造。
【発明の詳細な説明】
【技術分野】
【０００１】
本発明は、車両前方に配置されるフロントサブフレーム構造に関する。
【背景技術】
【０００２】
例えば、特許文献１には、前面衝突時にフロントサイドフレームの変形モードをコントロールすることで、フロントサブフレームを車体フロアの下方に脱落させる構造が開示されている。
【０００３】
特許文献１に開示された構造では、車両衝突時にフロントサブフレームが車両後方に変位し、フロントサブフレームを車体に固定するボルト等が抜け落ちてフロントサブフレームを車体下方へ脱落させることができる。
【先行技術文献】
【特許文献】
【０００４】
【特許文献１】特許第５４６０６８４号公報
【発明の概要】
【発明が解決しようとする課題】
【０００５】
ところで、車両衝突時において、衝突荷重がフロントサブフレームに伝達されて、フロントサブフレームが車体から脱落するまでの間に車体側に対して衝突荷重が入力される場合がある。例えば、車体フロアに対してバッテリが搭載された電気自動車の場合、車体側に対して入力された衝突荷重は、車体フロアに搭載されたバッテリに伝達され、バッテリの損傷につながるおそれがある。
【０００６】
本発明は、前記の点に鑑みてなされたものであり、車両衝突時、フロントサブフレームから車体側へ衝突荷重が伝達されることを抑制することが可能なフロントサブフレーム構造を提供することを目的とする。
【課題を解決するための手段】
【０００７】
前記の目的を達成するために、本発明は、車両前後方向に延びる左右一対の縦メンバと、前記左右一対の縦メンバの間で車幅方向に延びるクロスメンバとを有するフロントサブフレーム構造であって、前記各縦メンバに設けられ、スタビライザが取り付けられるスタビ取付部と、車両衝突時に、前記各縦メンバの下方へ向けた折れ変形を促進する変形促進部と、を備え、前記変形促進部は、前記クロスメンバと前記スタビ取付部との間に設けられていることを特徴とする。
【発明の効果】
【０００８】
本発明では、車両衝突時、フロントサブフレームから車体側へ衝突荷重が伝達されることを抑制することが可能なフロントサブフレーム構造を得ることができる。
【図面の簡単な説明】
【０００９】
【図１】本発明の実施形態に係るフロントサブフレームが組み込まれた車両前部を斜め上方からみた斜視図である。
【図２】図１に示すフロントサブフレームの平面図である。
【図３】スタビ取付部に対してスタビライザが取り付けられると共に、ギヤボックス取付部に対してステアリングギヤボックスが取り付けられた状態を示す平面図である。
【図４】図３に示す状態を底面側からみた底面図である。
【図５】図４のＶ−Ｖ線に沿った縦断面図である。
【発明を実施するための形態】
【００１０】
次に、本発明の実施形態について、適宜図面を参照しながら詳細に説明する。図１は、本発明の実施形態に係るフロントサブフレームが組み込まれた車両前部を斜め上方からみた斜視図、図２は、図１に示すフロントサブフレームの平面図である。なお、各図中において、「前後」は、車両前後方向、「左右」は、車幅方向（左右方向）、「上下」は、車両上下方向（鉛直上下方向）を、それぞれ示している。
【００１１】
車両の前方には、本発明の実施形態に係るフロントサブフレーム１０が配置されている。このフロントサブフレーム１０は、車両前後方向に沿って延びる左右一対のフロントサイドフレーム１２、１２（図４参照）の下方側に取り付けられている。また、フロントサブフレーム１０は、図示しない前輪用懸架装置を支持すると共に、図示しないマウント機構を介してパワーユニット（モータやエンジン等の駆動源）を支持している。
【００１２】
図１及び図２に示されるように、フロントサブフレーム１０は、左右一対の縦メンバ１６、１６と、クロスメンバ１８と、一対のブレース２０、２０とを備えて構成されている。
【００１３】
左右一対の縦メンバ１６、１６は、概ね車両前後方向に沿って延びている。各縦メンバ１６の車両前方端部１６ａは、上方に向かって延びる連結フレーム２２（後記する図４、図５参照）を介してフロントサイドフレーム１２に連結されている。各縦メンバ１６の車両後方端部１６ｂは、フロントパネル１４（図４参照）の車両前方端部１４ａに連結されている。
【００１４】
左右一対の縦メンバ１６、１６とクロスメンバ１８とによって、フロントサブフレーム１０は、平面視して略Ｈ字状を呈している。また、各縦メンバ１６の車両前方端部１６ａは、各縦メンバ１６の車両後方端部１６ｂよりも車幅方向外側に位置する前開き状態に設けられている。
【００１５】
図３は、スタビ取付部に対してスタビライザが取り付けられると共に、ギヤボックス取付部に対してステアリングギヤボックスが取り付けられた状態を示す平面図、図４は、図３に示す状態を底面側からみた底面図、図５は、図４のＶ−Ｖ線に沿った縦断面図である。
【００１６】
図３に示されるように、各縦メンバ１６には、スタビライザ２４が取り付けられるスタビ取付部２６が設けられている。スタビ取付部２６は、各縦メンバ１６の車両前方側の上面において、連結フレーム２２とクロスメンバ１８との間に設けられている（図５参照）。スタビ取付部２６は、各縦メンバ１６の上面から上方に向かって突出してスタビライザ２４の中間部を保持するスタビホルダ２８を有する。
【００１７】
図５に示されるように、スタビホルダ２８は、台座部２７と、保持部２９と、締結固定部３１とを有する。台座部２７は、縦メンバ１６の上面に固定される略平板状の板体で形成されている。保持部２９は、台座２７上に載置され、２つの半割要素が合わされてスタビライザ２４の外周面を囲繞して保持するように形成されている。締結固定部３１は、車両前後方向に離間して配置された一組のボルト挿通孔を有し、このボルト挿通孔に挿通されるボルト及びナットを介して、保持部２９及び台座２７を縦メンバ１６に締結固定している。
【００１８】
図３に示されるように、スタビライザ２４は、例えば、中空のパイプ材からなり、直線状延在部２４ａと、屈曲部２４ｂと、後方延出部２４ｃとを有する。直線状延在部２４ａは、車幅方向に沿って略直線状に延在している。屈曲部２４ｂは、直線状延在部２４ａの車幅方向外側端部から車両後方に向かって屈曲している。後方延出部２４ｃは、屈曲部２４ｂから車幅方向外側で車両後方に向かって延出している。なお、スタビライザ２４の端部は、左右一対のサスペンションアーム３３に固定されている（図３参照）。
【００１９】
スタビホルダ２８は、スタビライザ２４の直線状延在部２４ａの左右外側端部で屈曲部２４ｂの手前側の部位を保持している（図３参照）。
【００２０】
また、図１及び図２に示されるように、各縦メンバ１６には、衝突荷重が入力されたときに縦メンバ１６の中間部から下折れ変形を発生させる変形促進部３０が設けられている。この変形促進部３０は、各縦メンバ１６の車両前後方向に沿った中間部で、クロスメンバ１８とスタビ取付部２６との間に設けられている。
【００２１】
図１に示されるように、本実施形態において、変形促進部３０は、各縦メンバ１６の上面に設けられた段差部３２で構成されている。段差部３２は、平面視して縦メンバ１６の軸線と直交する方向（車幅方向）に沿って延在している。
【００２２】
クロスメンバ１８は、左右一対の縦メンバ１６、１６の中央部の間で車幅方向に沿って延びている。また、クロスメンバ１８は、ステアリングギヤボックス３４が取り付けられる左右一対のギヤボックス取付部３６を有する（図１、図２参照）。各ギヤボックス取付部３６は、平面視してクロスメンバ１８の車両前方端部側に配置されたボルト締結孔を有し、ステアリングギヤボックス３４の取付フランジがボルト及びナットを介してクロスメンバ１８のギヤボックス取付部３６に固定される（図３参照）。スタビ取付部２６は、ギヤボックス取付部３６に対して車幅方向外側にオフセットした位置に配置されている。
【００２３】
図４に示されるように、一対のブレース２０、２０は、クロスメンバ１８よりも車両後方に配置され、左右一対の縦メンバ１６、１６同士をたすき掛け状に掛け渡すように連結されている。各ブレース２０の車両前方端部は、ボルトＢを介してクロスメンバ１８の車両後方部位に締結固定されている。また、各ブレース２０の車両後方端部は、ボルトＢを介して縦メンバ１６の車幅方向内側に連結固定されている（図４参照）。
【００２４】
本実施形態に係るフロントサブフレーム１０は、基本的に以上のように構成されるものであり、次にその作用効果について説明する。
【００２５】
本実施形態では、車両衝突時に、各縦メンバ１６の下方へ向けた折れ変形を促進する変形促進部３０を設けている。この変形促進部３０は、各縦メンバ１６の車両前後方向に沿った中間部で、クロスメンバ１８とスタビ取付部２６との間に設けられている。
【００２６】
これにより、本実施形態では、それぞれ剛性・強度が高いスタビ取付部２６とクロスメンバ１８との間に変形促進部３０を配置することで、各縦メンバ１６の下折れ変形の変形促進作用に加えて、さらに、各縦メンバ１６の車両前後方向の部位との強度差によっても変形が促進される。この結果、本実施形態では、縦メンバ１６を変形促進部３０で確実に折ることができる。本実施形態では、変形促進部３０において衝突荷重を確実に吸収することで、フロントサブフレーム１０から車体側へ衝突荷重が伝達されることを抑制することができる。
【００２７】
また、本実施形態では、変形促進部３０が、各縦メンバ１６の上面に設けられた段差部３２で構成されている。これにより、本実施形態では、それぞれ剛性・強度が高いスタビ取付部２６及びクロスメンバ１８の間に段差部３２を設けることで、段差部３２の車両前後方向の部位との強度差によって縦メンバ１６の下折れ変形を促進することができる。さらに加えて、本実施形態では、段差部３２へ応力が集中することによって下折れ変形をより一層促進することができ、縦メンバ１６を段差部３２で確実に折ることができる。
【００２８】
さらに、本実施形態では、スタビ取付部２６が、各縦メンバ１６から上方に向かって突出してスタビライザ２４の中間部を保持するスタビホルダ２８を有している。本実施形態では、縦メンバ１６が変形促進部３０（段差部３２）により一定角度で下方に折れると、スタビホルダ２８が折れた縦メンバ１６に当接する。これにより、本実施形態では、スタビホルダ２８を介して、縦メンバ１６に対して車両後方、且つ、下方へ向けて荷重を伝達することで、フロントサブフレーム１０を車体側から確実に脱落させることができる。
【００２９】
さらにまた、本実施形態では、スタビ取付部２６が、ギヤボックス取付部３６に対して車幅方向外側にオフセットした位置に配置されている。本実施形態では、スタビ取付部２６とギヤボックス取付部３６とが車幅方向にオフセットして配置されることで、縦メンバ１６の下折れ変形の途中において、スタビ取付部２６とギヤボックス取付部３６とが互いに干渉（接触）することを防止している。これにより、スタビ取付部２６とギヤボックス取付部３６とが互いに接触しないため、縦メンバ１６の変形の妨げとなることを回避することができる。この結果、本実施形態では、フロントサブフレーム１０の変形モードのコントロールを確実に遂行することができると共に、所望の衝突ストロークを確保することができる。
【符号の説明】
【００３０】
１０    フロントサブフレーム
１６    縦メンバ
１８    クロスメンバ
２４    スタビライザ
２６    スタビ取付部
２８    スタビホルダ
３０    変形促進部
３２    段差部
３４    ステアリングギヤボックス
３６    ギヤボックス取付部
【図１】
2020050213.tif 000003
【図２】
2020050213.tif 000004
【図３】
2020050213.tif 000005
【図４】
2020050213.tif 000006
【図５】
2020050213.tif 000007